(57)【要約】  【課題】卓上カレンダー等のようなカードホルダーの背面に設けた可動片を固定して自立できるとともに、吊り下げても使用できる構造の提供。  【解決手段】本発明は、複数枚のカードを重ねた状態で収納し得るホルダーにおいて、ホルダーの背面に、背面とほぼ同一平面内に位置する閉じた状態と、前記背面から引き起こされて反転された状態で前記背面に添わせた開いた状態とに、開閉可能な吊り下げ用の可動片を形成し、前記可動片を開いた状態で保持する保持手段を備えたカードホルダーである。前記保持手段は、前記開いた状態の可動片と対向する前記ホルダーの背面の位置に形成された係合突起と、前記係合突起と係合し得る前記可動片の位置に形成された係合孔とから構成され、前記ホルダーを吊り下げるときには、前記可動片を開いて、可動片の係合孔とホルダーの係合突起とを係合させることによって、前記可動片を開いた状態で保持して、前記可動片の先端部に設けた吊り下げ用の孔によって、当該ホルダーを吊り下げるように構成した。【選択図】      図１
2006205370.tif 000002
【特許請求の範囲】
【請求項１】
複数枚のカードを重ねた状態で収納し得るホルダーにおいて、
ホルダーの背面に、背面とほぼ同一平面内に位置する閉じた状態と、前記背面から引き起こされて反転された状態で前記背面に添わせた開いた状態とに、開閉可能な吊り下げ用の可動片を形成し、
前記可動片を開いた状態で保持する保持手段を備えたことを特徴とするカードホルダー。
【請求項２】
前記保持手段は、
前記開いた状態の可動片と対向する前記ホルダーの背面の位置に形成された係合突起と、前記係合突起と係合し得る前記可動片の位置に形成された係合孔とから構成され、
前記ホルダーを吊り下げるときには、前記可動片を開いて、可動片の係合孔とホルダーの係合突起とを係合させることによって、前記可動片を開いた状態で保持して、前記可動片の先端部に設けた吊り下げ用の孔によって、当該ホルダーを吊り下げ得るように構成したことを特徴とする請求項１に記載のカードホルダー。
【請求項３】
前記係合突起の先端は僅かに拡径されていることを特徴とする請求項１または２の何れか１項に記載のカードホルダー。
【請求項４】
前記ホルダーの背面に一対の舌片が形成され、一対の舌片の先を互いに係合させて、前記ホルダーの背面から後方に立設された支持脚を形成し得るように構成したことを特徴とする請求項１、２、３の何れか１項に記載のカードホルダー。
【請求項５】
前記カードホルダーは全体的に樹脂によって一体成形されていることを特徴とする請求項１、２、３、４の何れか１項に記載のカードホルダー。
【請求項６】
前記カードホルダーの背面には磁石が配設されていることを特徴とする請求項１、２、３、４、５の何れか１項に記載のカードホルダー。
【発明の詳細な説明】
【技術分野】
【０００１】
本発明は、卓上カレンダーや写真プリント等のカードを保持して掲示することのできるカードホルダーに関するものである。
【背景技術】
【０００２】
従来より、種々の卓上カレンダーや写真スタンドとしてのカードホルダーが提案されている。これらのカードホルダーは、背面に支持脚が配設されていて自立可能な構造になっているものや、上部に吊り下げ用の孔が形成されていて壁面のフック等に吊り下げる構造になっているものがある。
【発明の開示】
【発明が解決しようとする課題】
【０００３】
さらに、卓上形として自立可能な構造と、吊り下げるための孔を両方とも備えたカードホルダーも提案されているが、卓上形として自立させて使用する場合には、前記孔が見苦しいという問題があった。
そこで、カードホルダーの背面に設けた可動片に孔を設けて、吊り下げて使用するときには可動片を引き起こして、可動片の先に形成されている孔を、フック等に吊り下げ、吊り下げない場合には、前記可動片を元に倒して目立たないようにできる構造が考えられる。
しかし、その場合、前記可動片を引き起こして吊り下げて使用する場合に、前記可動片とカードホルダーの背面との角度が固定されないので、ふらついて不安定であるという問題が発生する。
【０００４】
そこで、本発明は、カードホルダーの背面に設けた可動片を固定することのできる構造を提案して、吊り下げて使用する場合でも安定させることを目的としてなされたものである。
【課題を解決するための手段】
【０００５】
本発明にかかるカードホルダーにおいては、複数枚のカードを重ねた状態で収納し得るホルダーにおいて、ホルダーの背面に、背面とほぼ同一平面内に位置する閉じた状態と、前記背面から引き起こされて反転された状態で前記背面に添わせた開いた状態とに、開閉可能な吊り下げ用の可動片を形成し、前記可動片を開いた状態で保持する保持手段を備えた。
請求項２では、前記保持手段は、前記開いた状態の可動片と対向する前記ホルダーの背面の位置に形成された係合突起と、前記係合突起と係合し得る前記可動片の位置に形成された係合孔とから構成され、前記ホルダーを吊り下げるときには、前記可動片を開いて、可動片の係合孔とホルダーの係合突起とを係合させることによって、前記可動片を開いた状態で保持して、前記可動片の先端部に設けた吊り下げ用の孔によって、当該ホルダーを吊り下げるように構成した。
【０００６】
請求項３では、前記係合突起の先端は僅かに拡径されている構成とした。
請求項４では、前記ホルダーの背面に一対の舌片が形成され、一対の舌片の先を互いに係合させて、前記ホルダーの背面から後方に立設された支持脚を形成し得るように構成した。
請求項５では、前記カードホルダーは全体的に樹脂によって一体成形されている構成とした。
請求項６では、前記カードホルダーの背面には磁石が配設されている構成とした。
【発明の効果】
【０００７】
本発明の請求項１では、可動片を開いた状態で保持する保持手段を備えたので、安定した状態で吊り下げて使用することができる。
請求項２では、前記保持手段は、係合孔と係合突起とで構成したので、簡単な構成で確実に保持することができる。
【０００８】
請求項３では、係合突起の先端は僅かに拡径されているので、係合状態が簡単に外れることを防止できる。
請求項４では、カードホルダーの背面に形成された一対の舌片によって、支持脚を形成し得るので、自立形のカードホルダーとして使用できる。
請求項５では、カードホルダーは全体的に樹脂によって一体成形されているので、製造コストを抑えることができる。
請求項６では、カードホルダーの背面には磁石が配設されているので、鉄板等に磁気吸着させて使用することができる。
【発明を実施するための最良の形態】
【０００９】
以下に、本発明にかかるカードホルダーを、その実施の形態としてのカレンダーを示した図面に基づいて詳細に説明する。
図１は前記カレンダーの斜視図であり、図中、１はカレンダーのホルダー部、２はカレンダーのカード部、３は前記ホルダー部１にカード部２をセットして構成されるカレンダーである。
このように、ホルダー部１は、複数枚のカードを重ねた状態で収納し得る構造となっており、前記ホルダー部１の背面には開閉可能な可動片４が形成されているとともに、前記可動片４を開いた状態で保持する保持手段を備えている。
【実施例１】
【００１０】
実施例１では、卓上形と吊り下げ形とに使用可能なカレンダーを例にとって説明する。
この場合、前記カード部２は例えば１月分〜１２月分までの各月分の暦が表示された１２枚のカードが重ねられて構成されているものであり、１枚ずつ、即ち１月分ずつ引き抜いて後ろへ回すことができる。
前記カード部２の１２枚を、前記ホルダー部１にセットしてカレンダーとして使用するのである。
【００１１】
前記ホルダー部１は、向かって前面が開口し、背面に板状部１１が配設され、左右の両縁部にガイド溝１２が形成され、下縁にも溝１３が形成されている。前記左右のガイド溝１２と下縁の溝１３の幅は、前記１２枚のカード部２を挿入できる幅に構成されている。
前記板状部１１の上部中央部には可動片４が形成されている。この可動片４はヒンジ部４１で開閉可能に一体成形されている。前記ヒンジ部４１はいわゆるＰＰヒンジと言われるヒンジ構造であって、可撓性の樹脂の厚みを薄くしてヒンジ構造を実現したものである。
このヒンジ部４１によって、前記可動片４は、ホルダーの背面に、背面とほぼ同一平面内に位置する閉じた状態と、前記背面から引き起こされて反転された状態で前記背面に添わせた開いた状態とに、開閉可能に形成されている。
【００１２】
また、前記板状部１１の上縁近傍であって、前記ヒンジ部４１から上へ距離ｄ離れた位置には係合孔４２が形成されている。
そして、前記可動片４のヒンジ部４１から下方に距離ｄ離れた位置には係合突起４３が後方へ突出して設けられている。前記係合孔４２と係合突起４３とは、可動片４を開いて板状部１１に平行に沿わせたときに互いに係合し合うように位置が決められている。
前記可動片４の先には吊り下げ用の孔４４が設けられている。
なお、前記係合孔４２と係合突起４３とで保持手段が構成されている。
【００１３】
次に、前記可動片４の使用方法を、図２を参照して詳細に説明する。なお、図２の（ａ）、（ｂ）、（ｃ）は、図１のＡ−Ａ線断面図を示したものである。
図２の（ａ）は、可動片４を閉じた状態であり、可動片４は板状部１１に沿った状態となっている。
図２の（ｂ）に示したように、可動片４を引き起こすと、ヒンジ部４１で曲がって板状部１１とは沿わない状態となり、更に、可動片４を開いて反転させて、板状部１１の背面に沿わせると、図２の（ｃ）に示したように、係合突起４３を係合孔４２に差し込むことができる。このとき、前記係合突起の先端部を若干拡径しておくことにより、一旦、係合孔４２に差し込まれた後は、勝手に孔から外れにくくなる。また、前記係合孔４２は真円ではなく若干長孔にすることによって、差し込み易くなる。
【００１４】
このようにして、図２の（ｃ）に示したように、可動片４を引き起こして開いた状態で係合させた状態にすると、吊り下げ用の孔４４に吸盤等の付いたフックＦを差し込んで、壁等から吊り下げて使用できる。
図２の（ｃ）の状態におけるホルダー部１の要部斜視図を図３に示した。
【００１５】
さらに、前記板状部１１の背面側には一対の磁石５、５が固着されている。これらの磁石５は、図４に示したように、板状部１１の背面に形成された凹部に配設され、背面側の磁極面が露出するように構成されている。
図４は、図１のＢ−Ｂ線断面図である。
【００１６】
また、前記板状部１１の下部には一対の舌片６１、６２が、板状部１１に沿った状態と引き起こした状態とに開閉可能に形成されている。
図５の（ａ）、（ｂ）、（ｃ）は、図１のＣ−Ｃ線断面図である。
図５の（ａ）に示したように、このカレンダー３を吊り下げて使用する場合には、前記舌片６１、６２は、板状部１１に沿った状態に倒しておく。
このカレンダー３を自立させて使用する場合には、図５の（ｂ）に示したように、前記一対の舌片６１、６２を引き起こして、一方の舌片６１の先端近傍に形成された切欠き６３と、他方の舌片６２の先端近傍に形成された切欠き６４とを互いに差し込む。
図５の（ｃ）に示したように、２つの舌片６１、６２を互いに係合させることによって、ホルダー部１の背面に立設した支持脚６が形成される。
この舌片も、前記可動片４のヒンジ部４１と同様の構造のヒンジ部を備えている。また、前記２つの切欠き６３、６４は互いに係合し得るように、互いに上下逆方向から切欠かれている。即ち、一方の舌片６１の切欠き６３が上方に開いていれば、他方の舌片６２の切欠き６４は下方に開いている。このように、切欠きで２つの舌片を係合させると容易には係合が外れにくくなるので、安定して使用することができる。
【実施例２】
【００１７】
図６には、前記板状部１１の下部に形成された一対の舌片６１、６２の係合構造の他の実施例を示した。
図６の（ａ）に示したように、このカレンダー３を吊り下げて使用する場合には、前記舌片６１、６２は、板状部１１に沿った状態に倒しておく。
このカレンダー３を自立させて使用する場合には、図６の（ｂ）に示したように、前記一対の舌片６１、６２を引き起こしす。この実施例では、一方の舌片６１の先端近傍には突起６５が形成され、他方の舌片６２の先端近傍には孔６６が形成されているので、前記突起６５を前記孔６６に差し込む。
図６の（ｃ）に示したように、一方の舌片６１の突起６３を、他方の舌片６２の孔６４に差し込むと、ホルダー部１の背面に立設した支持脚６が形成される。
この舌片も、前記可動片４のヒンジ部４１と同様の構造のヒンジ部を備えている。また、前記突起６３の先端も若干拡径するとよい。
【００１８】
本発明の実施例としては、前記カード部２として、１２枚のカレンダーで構成したが、写真プリントや絵はがき等をカード部としてもよい。
【図面の簡単な説明】
【００１９】
【図１】本発明にかかるカードホルダーの実施の形態の構成を示した構成図である。
【図２】可動片まわりの詳細説明図（図１のＡ−Ａ線断面図）である。
【図３】可動片を開いた保持した状態の要部斜視図である。
【図４】磁石まわりの要部断面図（図１のＢ−Ｂ線断面図）である。
【図５】舌片まわりの要部断面図（図１のＣ−Ｃ線断面図）である。
【図６】実施例２の舌片まわりの要部斜視図である。
【符号の説明】
【００２０】
１  ホルダー部、カードホルダー
２  カード部
３  カレンダー
４  可動片
４２  係合孔
４３  係合突起
５  磁石
６  支持脚
６１  切欠き
６２  切欠き
【図１】
2006205370.tif 000003
【図２】
2006205370.tif 000004
【図３】
2006205370.tif 000005
【図４】
2006205370.tif 000006
【図５】
2006205370.tif 000007
【図６】
2006205370.tif 000008